(57)【要約】複数のスピーカユニットを有するスピーカー装置の音響特性を向上させる。スピーカー装置は、同軸上に配置された高音再生用の第１のスピーカユニット及び低音再生用の第２のスピーカユニットを備え、第１のスピーカユニットは、第２のスピーカユニットの音響放射方向側に配置されている。そして、第１のスピーカユニットは共鳴器を備え、その共鳴器は、第２のスピーカユニットと相互に対向し合うように配置されている。このように、第１のスピーカユニットに対して共鳴器を設けることにより、特定の周波数帯域（例えば、中音域）に生じるピーク（周波数の山）を小さくすることができ、スピーカー装置の周波数特性をフラットにすることが可能となる。その結果、スピーカー装置の音響特性を向上させることができる。
2008139524.tif 000002
【特許請求の範囲】
【請求項１】
少なくとも第１のスピーカユニット及び第２のスピーカユニットを備え、
前記第１のスピーカユニットは共鳴器を備え、
前記共鳴器は、前記第２のスピーカユニットと相互に対向し合うように配置されていることを特徴とするスピーカー装置。
【請求項２】
前記第１のスピーカユニットは、振動板とボイスコイルとを有する振動体と、磁石とプレートとを備える磁気回路と、フレームと、キャビネットと、を備え、
前記キャビネットは、前記フレームを覆うように配置され、
前記キャビネットには、前記第２のスピーカユニットと対向する開口部が形成されており、
前記共鳴器は、前記フレームと前記キャビネットにて形成されていることを特徴とする請求項１に記載のスピーカー装置。
【請求項３】
前記第２のスピーカユニットと対向する、前記キャビネットの面は曲面状に形成されていることを特徴とする請求項２に記載のスピーカー装置。
【請求項４】
前記キャビネットは、前記第２のスピーカユニットに向かって凸状に形成されていることを特徴とする請求項２に記載のスピーカー装置。
【請求項５】
前記第２のスピーカユニットと対向する前記キャビネットの面は平坦な形状に形成されていることを特徴とする請求項２に記載のスピーカー装置。
【請求項６】
前記第１のスピーカユニットは、前記第２のスピーカユニットの音響放射方向側に配置されたホーンを有することを特徴とする請求項１に記載のスピーカー装置。
【請求項７】
前記第１のスピーカユニットと、前記第２のスピーカユニットとの間には、所定の間隔が設けられていることを特徴とする請求項１に記載のスピーカー装置。
【請求項８】
前記第１のスピーカユニットは、イコライザーを備えることを特徴とする請求項１に記載のスピーカー装置。
【請求項９】
前記共鳴器は吸音材を備えることを特徴とする請求項１又は２に記載のスピーカー装置。
【請求項１０】
前記第１のスピーカユニットの中心軸と、前記第２のスピーカユニットの中心軸とは略同軸上にあることを特徴とする請求項１に記載のスピーカー装置。
【請求項１１】
前記第１のスピーカユニットは、前記第２のスピーカユニットの音響放射方向側に配置され、
前記第１のスピーカユニットは、前記第２のスピーカユニット側から延在する支持部材を有し、
前記支持部材は、前記第１のスピーカユニットを支持していることを特徴とする請求項１に記載のスピーカー装置。
【請求項１２】
前記第１のスピーカユニットは高音再生用スピーカユニットであり、前記第２のスピーカユニットは低音再生用スピーカユニットであることを特徴とする請求項１に記載のスピーカー装置。
【請求項１３】
前記第２のスピーカユニットは、第２のキャビネットを備え、
前記第２のキャビネットは、前記第１のスピーカユニットの音響放射方向側の面に対し逆側の面を覆っていることを特徴とする請求項１に記載のスピーカー装置。
【請求項１４】
前記第２のキャビネットが有する容積は、０[ｃｃ]より大きく３６０[ｃｃ]以下であることを特徴とする請求項１３に記載のスピーカー装置。
【発明の詳細な説明】
【技術分野】
【０００１】
本発明は、複数のスピーカユニットを有するスピーカー装置に関する。
【背景技術】
【０００２】
従来より、低音再生用のスピーカユニットや高音再生用のスピーカユニットなどの再生周波数帯域の異なる複数のスピーカユニットを備えるスピーカー装置が知られている（例えば、特許文献１乃至５を参照）。このようなスピーカー装置は、低い再生周波数帯域から高い再生周波数帯域までの広い帯域に亘って音再生が可能であると共に、その構成上、サイズを小さくすることが出来るため、車載用などとして好適に用いられている。【０００３】
特許文献１に係る２ウエイスピーカでは、トゥイータをウーファーに対して傾けて取付ける傾斜ブリッジを用いることによって、ウーファーの振動板が振動する方向と、トゥイータの振動板が振動する方向との角度を異ならせている。これにより、高域音の指向性が改善できるとされている。【０００４】
特許文献２に記載の無指向性スピーカシステムは、２つの同相駆動されるドームスピーカを対向させ夫々の振動板の周囲に延びる回転曲面によりホーンを形成した高音スピーカの下に低音スピーカを同軸に設けて構成される。そして、低音スピーカは筒状エンクロージャーの上部開口を塞ぐように配置され、筒状エンクロージャーの中間部にはさらに低音スピーカが前記低音スピーカと同相駆動されるように配置され、筒状エンクロージャーの下部側面には複数の音波放射窓が設けられている。この構成によれば、ドームスピーカと低音スピーカとの周波数特性を適性に選択することにより、全体として周波数特性の良好な無指向性スピーカシステムを得ることができるとされている。【０００５】
特許文献３に記載の無指向性スピーカシステムでは、低音再生部と高音再生部とが同軸に配置され、低音再生部の全面側には、高音再生部のドーム振動板の周波数特性を変えるための反射体が支柱を介して前記ドーム振動板と対向するように配置されている。【０００６】
特許文献４に記載のスピーカ装置は、同軸上に順次前方に配置された第１、第２及び第３のスピーカユニットを備えている。そして、このスピーカ装置では、それらのスピーカユニットのうち、最前部に配置された第１のスピーカユニットの背面部であって、当該第１のスピーカユニットの背面側に配置された第２のスピーカユニットと音波の放射方向からみて重なる部位にイコライザを形成している。このように、最前部に設けられた第１のスピーカユニットを、その背面側に設けられた第２のスピーカユニットのイコライザとして代用することにより、部品点数を削減することができるとされている。【０００７】
特許文献５に記載のスピーカ装置は、ウーファユニットとトゥイータユニットとを備え、
トゥイータユニットが取り付けられるトゥイータボックスが、ウーファユニットの前面側を覆うように配置されてウーファボックスに取り付けられ、ウーファユニットに対して音響負荷として機能させるようにしている。この構成により、ウーファユニットにおける振動系の有効質量が増加し、これによって低域共振周波数が下がり、再生周波数帯域の低域側の再生特性等を改善することができるとされている。【０００８】
【特許文献１】実用新案登録第２５６６３３４号公報
【特許文献２】特許第２５９７４２５号公報
【特許文献３】特許第２７５４９７３号公報
【特許文献４】特開２００５−１２５９２号公報
【特許文献５】特開２００６−１９１３３６号公報
【発明の開示】
【発明が解決しようとする課題】
【０００９】
本発明は、複数のスピーカユニットを有するスピーカー装置の音響特性を向上させること、などの課題が一例として挙げられる。
【課題を解決するための手段】
【００１０】
請求項１に記載の発明は、スピーカー装置であって、少なくとも第１のスピーカユニット及び第２のスピーカユニットを備え、前記第１のスピーカユニットは共鳴器を備え、前記共鳴器は、前記第２のスピーカユニットと相互に対向し合うように配置されていることを特徴とする。
【図面の簡単な説明】
【００１１】
【図１】本発明の実施例に係るスピーカー装置の斜視図を示す。
【図２】本実施例に係るスピーカー装置の片側断面図及び片側側面図を示す。
【図３】本実施例に係る第１のスピーカユニットの中心軸を通る断面図を示す。
【図４】本実施例に係る第１のスピーカユニットの構成要素である支持体の平面図及び環状のスペーサの斜視図等を示す。
【図５】本実施例に係る第２のスピーカユニットの中心軸を通る断面図を示す。
【図６】本実施例のキャビネットの種類とスピーカー装置の周波数特性の関係を示すグラフである。
【図７】本実施例に係るスピーカー装置（共鳴器有り）と比較例に係るスピーカー装置（共鳴器無し）の各周波数特性を示すグラフである。
【図８】本実施例に係る共鳴器の開口部の大きさとスピーカー装置の周波数特性の関係を示すグラフである。
【図９】本実施例に係る共鳴器の容積の大きさとスピーカー装置の周波数特性の関係を示すグラフである。
【図１０】本実施例に係る共鳴器内に設ける吸音材の量とスピーカー装置の周波数特性の関係を示すグラフである。
【図１１】本発明の変形例に係るキャビネットを有する第１のスピーカユニットの中心軸を通る断面図を示す。
【図１２】本実施例及び変形例に係る各キャビネットを有する各第１のスピーカユニットを備えた各スピーカー装置の周波数特性を示すグラフである。
【図１３】本実施例に係るスピーカー装置（ホーン有り）と他のスピーカー装置（ホーン無し）の各周波数特性を示すグラフである。
【図１４】本実施例に係る第１のスピーカユニットと第２のスピーカユニットの間隔とスピーカー装置の周波数特性の関係を示すグラフである。
【図１５】本実施例に係る容積３６０［ｃｃ］を有するキャビネットを備える第２のスピーカユニットとその周波数特性との関係を示すグラフである。
【図１６】本実施例に係るイコライザーを有する第１のスピーカユニットを備えたスピーカー装置の中心軸を通る断面図を示す。
【符号の説明】
【００１２】
３０  磁気回路
３１、４１  振動体
３２、４２  フレーム
３３  支持体
３３ａ  ホーン
３３ｂ、４５  キャビネット
３３ｂａ  開口部
３３ｃ  支持部材
３５  共鳴器
４０  反発型磁気回路
５０  スピーカー装置
６０  取付金具
１００  第１のスピーカユニット
２００  第２のスピーカユニット
Ａ１、Ａ２  空間
Ｖ１、Ｖ２  容積
【発明を実施するための最良の形態】
【００１３】
本発明の１つの実施形態では、スピーカー装置は、少なくとも第１のスピーカユニット及び第２のスピーカユニットを備え、前記第１のスピーカユニットは共鳴器を備え、前記共鳴器は、前記第２のスピーカユニットと相互に対向し合うように配置されている。【００１４】
上記のスピーカー装置は、少なくとも第１のスピーカユニット及び第２のスピーカユニットを備えている。好適な例では、前記第１のスピーカユニットは高音再生用スピーカユニットであり、前記第２のスピーカユニットは低音再生用スピーカユニットであることが好ましい。特に、このスピーカー装置では、第１のスピーカユニットは共鳴器を備え、その共鳴器は、第２のスピーカユニットと相互に対向し合うように配置されている。このように第１のスピーカユニットに対して共鳴器を設けることにより、特定の周波数帯域（例えば、中音域）に生じるピーク（周波数の山）を小さくすることができ、スピーカー装置の周波数特性をフラットにすることが可能となる。その結果、スピーカー装置の音響特性を向上させることができる。【００１５】
上記のスピーカー装置の一つの態様では、前記第１のスピーカユニットは、振動板とボイスコイルとを有する振動体と、磁石とプレートとを備える磁気回路と、フレームと、キャビネットと、を備え、前記キャビネットは、前記フレームを覆うように配置され、前記キャビネットには、前記第２のスピーカユニットと対向する開口部が形成されており、前記共鳴器は、前記フレームと前記キャビネットにて形成されている。【００１６】
この態様では、第１のスピーカユニットは、振動板とボイスコイルとを有する振動体と、磁石とプレートとを備える磁気回路と、フレームと、キャビネットと、を備えて構成される。そして、キャビネットは、フレームを覆うように配置されている。また、キャビネットには、第２のスピーカユニットと対向する開口部が形成されており、その共鳴器は、フレームとキャビネットにて形成されている。よって、この態様によれば、キャビネットの開口部の大きさ（面積）を変える、キャビネットの開口部付近の厚さを変える、共鳴器の容積を変える、キャビネットの形状を変える、などの方法により、スピーカー装置の音響特性を所望の音響特性となるように調整することができる。【００１７】
上記のスピーカー装置の他の態様では、前記第２のスピーカユニットと対向する、前記キャビネットの面は曲面状に形成されている。【００１８】
この態様では、第２のスピーカユニットと対向する、キャビネットの面は曲面状に形成されているので、当該キャビネットは、第２のスピーカユニットの高音域での周波数特性をフラットにするイコライザーとすることができる。【００１９】
上記のスピーカー装置の他の態様では、前記キャビネットは、前記第２のスピーカユニットに向かって凸状に形成されている。または、前記第２のスピーカユニットと対向する前記キャビネットの面は平坦な形状に形成されている。これらの態様によれば、前記キャビネットはイコライザーとなり、特定の周波数帯域（例えば、中音域）に生じるディップの音圧レベルの大きさを調整することができる。【００２０】
上記のスピーカー装置の他の態様では、前記第１のスピーカユニットは、前記第２のスピーカユニットの音響放射方向側に配置されたホーンを有する。この構成により、中音域から高音域にかけてスピーカー装置の音圧レベルを大きくすることができる。【００２１】
上記のスピーカー装置の他の態様では、前記第１のスピーカユニットと、前記第２のスピーカユニットとの間には、所定の間隔が設けられている。この態様によれば、前記の間隔の大きさを調整することにより、スピーカー装置の周波数特性を変えることができる。特に、第１のスピーカユニットと、第２のスピーカユニットとの間に所定の間隔を設けることにより、第２のスピーカユニットから第１のスピーカユニットに向けて放射された音波と、この音波が第１のスピーカユニットのキャビネットに反射することにより生じる音波とが干渉することにより生じる、スピーカー装置の再生周波数におけるピーク・ディップを低減することができる。【００２２】
上記のスピーカー装置の他の態様では、前記第１のスピーカユニットは、イコライザーを備える。好適な例では、イコライザーは、第１のスピーカユニットの音響放射方向側に配置されていることが好ましい。これにより、第１のスピーカユニットの高音域での周波数特性をフラットにすることができる。【００２３】
上記のスピーカー装置の他の態様では、前記共鳴器は吸音材を備える。これにより、特定の周波数帯域（例えば、中音域）を吸収させることができる。また、吸音材の量を変えることにより、中音域に生じるディップの音圧レベルの大きさを調整することができる。【００２４】
上記のスピーカー装置の他の態様では、前記第１のスピーカユニットの中心軸と、前記第２のスピーカユニットの中心軸とは略同軸上にある。これにより、車載用や家庭用など、このスピーカー装置の適用範囲を拡げることができる。【００２５】
上記のスピーカー装置の他の態様では、前記第１のスピーカユニットは、前記第２のスピーカユニットの音響放射方向側に配置され、前記第１のスピーカユニットは、前記第２のスピーカユニット側から延在する支持部材を有し、前記支持部材は、前記第１のスピーカユニットを支持している。【００２６】
この態様では、第１のスピーカユニットは、第２のスピーカユニットの音響放射方向側に配置されている。そして、第１のスピーカユニットは、第２のスピーカユニット側から延在する支持部材を有する。また、支持部材は、第１のスピーカユニットを支持している。このような支持部材を設けることによって、第１のスピーカユニットを安定的に支持することができる。【００２７】
上記のスピーカー装置の他の態様では、前記第２のスピーカユニットは第２のキャビネットを備え、前記第２のキャビネットは、前記第１のスピーカユニットの音響放射方向側の面に対し逆側の面を覆っている。さらに、前記第２のキャビネットが有する容積は、０[ｃｃ]より大きく３６０[ｃｃ]以下である。【００２８】
この態様では、第２のキャビネットは、第１のスピーカユニットの音響放射方向側の面に対し逆側の面を覆っている。そして、第２のキャビネットが有する容積を、０[ｃｃ]より大きく３６０[ｃｃ]以下とすることができる。このように、第２のキャビネットが有する容積を、０[ｃｃ]より大きく３６０[ｃｃ]以下とすると、中音域から低音域（特に、５００[ｋＨｚ]以下より小さい周波数帯域）にかけて音圧レベルが急激に低下してしまう現象が生じる（後述の実施例を参照）。この点、この態様では、第１のスピーカユニットに対して共鳴器を設けているので、中音域から低音域にかけて第２のスピーカユニットの音圧レベルが低下することを抑制できる。
【実施例】
【００２９】
以下、図面を参照して本発明の好適な実施例について説明する。【００３０】
[スピーカー装置の構成]
まず、図１を参照して、本発明の実施例に係るスピーカー装置の構成について説明する。  図１は、本発明の実施例に係るスピーカー装置５０の斜視図を示す。図２は、本実施形態に係るスピーカー装置５０の片側側面図、及びその中心軸Ｌ１を通る位置で切断した片側断面図を示す。【００３１】
スピーカー装置５０は、車載用の小型スピーカー装置などとして好適に用いられ、第１のスピーカユニット１００と、第２のスピーカユニット２００と、各種の構成部材と、を備える。第１のスピーカユニット１００の中心軸と、第２のスピーカユニット２００の中心軸とは略同軸Ｌ１（以下、「中心軸Ｌ１」とも呼ぶ）上に配置されていると共に、第１のスピーカユニット１００は、第２のスピーカユニット２００の音響放射方向Ｙ１側に配置されている。これにより、車載用や家庭用など、このスピーカー装置５０の適用範囲を拡げることができる。なお、本実施例では、スピーカー装置５０は、２つのスピーカユニット、即ち第１のスピーカユニット１００及び第２のスピーカユニット２００を有して構成されている。但し、本発明では、スピーカー装置５０は、３つ以上のスピーカユニットを有して構成されていても構わない。各種の構成部材としては、スピーカー装置５０を図示しない被取付部に取り付けるための取付金具６０などが含まれる。【００３２】
（第１のスピーカユニットの構成）
以下、図１乃至図３、図４（ａ）を参照して、第１のスピーカユニット１００の構成について説明する。【００３３】
図３は、本実施例に係る第１のスピーカユニット１００を、その中心軸Ｌ１を通る位置で切断した断面図を示す。図４（ａ）は、図３における、第１のスピーカユニット１００の構成要素である支持体３３を、音響放射方向Ｙ１に対し逆方向から見た平面図を示す。【００３４】
第１のスピーカユニット１００は、磁気回路３０と、振動体３１と、フレーム３２と、支持体３３と、環状部材３７と、を備える。本例では、第１のスピーカユニット１００は、ドーム形の高音再生用スピーカユニットとして構成されている。但し、本発明では、第１のスピーカユニット１００の構成に限定はなく、第１のスピーカユニット１００は、低音再生用又は中音再生用スピーカユニットであっても構わない。【００３５】
（磁気回路の構成）
磁気回路３０は、ヨーク１、マグネット２及びプレート３を構成部材として有し、その各構成部材の構成は次の通りである。【００３６】
ヨーク１は、マグネット２を載置する板状の載置部１ａと、載置部１ａの外周部から音響放射方向Ｙ１へ延び、マグネット２及びプレート３を取り囲む形状を有する外周部１ｂと、を有する。マグネット２は、円板状の形状を有し、ヨーク１の載置部１ａ上に取り付けられている。プレート３は、環状の形状を有し、マグネット２上に取り付けられている。プレート３の中央部には、磁気回路３０で生じる熱を放熱するための開口３ａが設けられている。プレート３とヨーク１の外周部１ｂの上端部との間にはマグネット２の磁束が集中する磁気ギャップ７が形成されている。【００３７】
（振動体の構成）
振動体３１は、ボイスコイルボビン４、ボイスコイル５、振動板６を構成部材として有し、その各構成部材の構成は次の通りである。【００３８】
ボイスコイルボビン４は、筒状の形状を有し、プレート３及びマグネット２の一部を取り囲むように配置されている。【００３９】
ボイスコイル５は、ボイスコイルボビン４の外周面の下端部に巻かれており、磁気ギャップ７内に位置している。ボイスコイル５は、一対のプラス／マイナスのリード線（図示略）を有する。プラスのリード線はＬ（又はＲ）チャンネル信号の入力配線であり、マイナスのリード線はグランド（ＧＮＤ：接地）信号の入力配線である。一対のプラス／マイナスのリード線の各々は、フレーム３２の適当な位置に取り付けられた一対のスピーカー端子（図示略）の各々に電気的に接続されている。なお、前記一対のスピーカー端子スピーカー端子の各々には、アンプ側から引き出された一対の出力配線の各々に電気的に接続される。【００４０】
振動板６は、ドーム形状を有する振動板本体６ａと、振動板本体６ａの外側に設けられた凸状のエッジ６ｂと、を有し、ボイスコイル５へ入力される音声信号に応じた音波を放射する。振動板本体６ａの外周縁部はボイスコイルボビン４の外周面の上端部に取り付けられている。なお、本実施例では、振動板６は振動板本体６ａとエッジ６ｂを有しているが、本発明では、振動板６を振動板本体６ａとして、また、振動板６の外周部にエッジ６ｂを別部材として接合しても構わない。また、エッジ６ｂの代わりに、振動板本体６ａの内側側面と、プレート３の前面に接するダンパー（図示せず）を設けても構わない。【００４１】
（フレームの構成）
フレーム３２は、椀状の形状を有し、磁気回路３０を収容している。フレーム３２は、磁気回路３０及び振動体３１を支持している。なお、本発明ではフレーム３２の形状に限定はない。フレーム３２の上端部は、後述するキャビネット３３ｂのフレーム載置部３３ｂｂに載置された状態で取り付けられている。【００４２】
（支持体の構成）
支持体３３は、ホーン（音響管）３３ａと、第１のキャビネット３３ｂ（以下、便宜上、「キャビネット３３ｂ」と呼称する）と、複数の支持部材３３ｃと、を備える。【００４３】
ホーン３３ａは、略環状の形状、及び当該ホーン３３ａの中心軸Ｌ１に向かって弓なりに湾曲した形状を有する。ホーン３３ａは、第２のスピーカユニット２００の音響放射方向Ｙ１側に配置されており、当該第２のスピーカユニット２００から放射される音波の指向特性を制御でき、後述するようにスピーカー装置５０の中音域から高音域にかけて音圧レベル[ｄＢ]を大きくすることができる。【００４４】
キャビネット３３ｂは、略椀状の形状を有する。また、キャビネット３３ｂは、第２のスピーカユニット２００に向かって凸状に形成されている。さらに、第２のスピーカユニット２００と対向する、キャビネット３３ｂの面は曲面状に形成されている。このようなキャビネット３３ｂの形状により、当該キャビネット３３ｂは、第２のスピーカユニット２００の高音域での周波数特性をフラットにするイコライザーとなる。また、キャビネット３３ｂには、第２のスピーカユニット２００と対向する開口部３３ｂａが形成されている。本例では、開口部３３ｂａは、キャビネット３３ｂの中心軸Ｌ１の近傍に複数設けられている。しかし、この構成に限らず、本発明では、開口部３３ｂは、キャビネット３３ｂにおいて、第２のスピーカユニット２００と対向する位置に設けられていればよい。よって、開口部３３ｂａは、例えば、キャビネット３３ｂの中心軸Ｌ１を通る頂部に対応する位置に設けても構わない。また、本発明では、キャビネット３３ｂに対する開口部３３ｂａの数及び開口部３３ｂａの形状に限定はない。また、キャビネット３３ｂとフレーム３２との間には容積Ｖ１を有する空間Ａ１が形成されている。キャビネット３３ｂとフレーム３２により容積Ｖ１を有する共鳴器３５が形成されている。共鳴器３５は、第２のスピーカユニット２００と相互に対向し合うように配置されている。かかる構成を有するキャビネット３３ｂは、ホーン３３ａの中心軸Ｌ１に対し同軸上に且つ音響放射方向Ｙ１側に配置されていると共に、フレーム３２を覆うように配置されている。また、キャビネット３３ｂの上端部の内周面側には、フレーム３２の上端部を載置した状態にて取り付けるためのフレーム載置部３３ｂｂが設けられている。【００４５】
各支持部材３３ｃは、アーチ状の形状を有し、ホーン３３ａとキャビネット３３ｂとを繋いでいる。これにより、各支持部材３３ｃは、第１のスピーカユニット１００の中心軸と第２のスピーカユニット２００の中心軸とを略同軸Ｌ１上に配置した状態で第１のスピーカユニット１００を支持している。なお、本発明では、各支持部材３３ｃの形状やその数などに限定はない。【００４６】
（環状部材の構成）
環状部材３７は、環状の形状を有し、フレーム３２の上端部と共にエッジ６ｂの外周部を挟み込んだ状態でキャビネット３３ｂに取り付けられている。これにより、環状部材３７は、フレーム３２と共に振動板６を支持している。【００４７】
以上の構成を有する第２のスピーカユニット２００では、アンプ側の一対の出力配線から出力された音声信号は、一対のスピーカー端子を経由し、さらにボイスコイル５の一対のプラス／マイナスのリード線を通じて、当該ボイスコイル５へ入力される。これにより、フレミングの左手の法則に基づき、磁気ギャップ７内でボイスコイル５に電磁気力（ローレンツ力）が作用し、ボイスコイル５と共に振動板６等が音響放射方向Ｙ１及びその逆方向に動くことで、振動板本体６ａから音響放射方向Ｙ１に向けて音波が放射される。【００４８】
（第２のスピーカユニットの構成）
図５は、本実施例に係る第２のスピーカユニット２００を、その中心軸Ｌ１を通る位置で切断した断面図を示す。【００４９】
第２のスピーカユニット２００は、反発型磁気回路４０と、振動体４１と、フレーム４２と、第２のキャビネット４５（以下、便宜上、「キャビネット４５」と呼称する）と、を備える。本例では、第２のスピーカユニット２００は、コーン形の低音再生用スピーカユニットとして構成されている。但し、本発明では、第２のスピーカユニット２００の構成に限定はなく、第２のスピーカユニット２００は、高音再生用又は中音再生用スピーカユニットであっても構わない。また、本例では、磁気回路として反発型磁気回路を用いているが、本発明では磁気回路の構成に限定はない。【００５０】
（反発型磁気回路の構成）
反発型磁気回路４０は、ヨーク１１、磁石１２、ポールピース１３、複数の磁石１４及び１５、トッププレート１６、及びプレート１７を構成部材として有し、磁石１２と複数の磁石１４及び１５とを同極（Ｎ極又はＳ極）同士が対向するように配置した構成を有する。【００５１】
ヨーク１１は、円板状の形状を有するアンダープレート１１ａと、ほぼ筒状の形状を有する外周部１１ｂと、を有する。外周部１１ｂは、アンダープレート１１ａと一体的に形成され、アンダープレート１１ａ、磁石１２及びポールピース１３の一部を夫々取り囲んでいる。磁石１２は、円板状の形状を有し、ヨーク１１のアンダープレート１１ａ上に配置されている。ポールピース１３は、円板状の形状を有し、磁石１２上に配置されている。磁石１４は、円板状の形状を有し、ポールピース１３上に配置されている。磁石１５は、円板状の形状を有し、磁石１４上に配置されている。複数の磁石１４及び１５の各々は、フェライト系磁石又は希土類系磁石であっても良い。また、複数の磁石１４、１５のうち、一方がフェライト系磁石、他方が希土類系磁石であっても構わない。【００５２】
トッププレート１６は、円板状の形状を有し、磁石１５上に配置されている。プレート１７は、環状の形状及びヨーク１１の外周部１１ｂの内壁より内側（中心軸Ｌ１側）へ張り出す形状（又は突出する形状）を有し、ヨーク１１の外周部１１ｂ上に配置されている。好適な例では、プレート１７は、ヨーク１１と同一の材料にて形成されていることが好ましい。なお、本実施例では、ヨーク１１の外周部１１ｂ上にプレート１７を設けているが、ヨーク１１とプレート１７とは一体に形成されていてもよく、ヨーク１１の外周部１１ｂがポールピース１３に向かって突出した形状等であれば良い。【００５３】
以上の構成を有する反発型磁気回路４０では、プレート１７とポールピース１３の間に磁気ギャップ４３が形成されており、この磁気ギャップ４３には、磁石１２と複数の磁石１４及び１５とよって生成される磁界が形成されている。【００５４】
（振動体の構成）
振動体４１は、ボイスコイルボビン１９、ボイスコイル２０、ダンパー２１、振動板２２、エッジ２３及びキャップ２４を構成部材として有し、その各構成部材の構成は次の通りである。【００５５】
ボイスコイルボビン１９は、筒状の形状を有し、ポールピース１３、複数の磁石１４及び１５、トッププレート１６の各々を取り囲むように配置されている。ボイスコイルボビン１９には、反発型磁気回路４０で発生する熱を放熱するための開口１９ａが設けられている。【００５６】
ボイスコイル２０は、ボイスコイルボビン１９の外周面の下端部に巻かれており、磁気ギャップ４３内に位置している。ボイスコイル２０は、一対のプラス／マイナスのリード線（図示略）を有する。プラスのリード線はＬ（又はＲ）チャンネル信号の入力配線であり、マイナスのリード線はグランド（ＧＮＤ：接地）信号の入力配線である。一対のプラス／マイナスのリード線の各々は、後述するフレーム４２の適当な位置に取り付けられた一対のスピーカー端子（図示略）の各々に対し電気的に接続されている。なお、前記一対のスピーカー端子の各々には、アンプ側から引き出された一対の出力配線の各々に電気的に接続される。【００５７】
ダンパー２１は、ボイスコイルボビン１９を弾性的に支持する。ダンパー２１は、環状の形状を有し、同心円状の複数の波形形状（コルゲーション）を備えて構成される。ダンパー２１の内周縁部は、ボイスコイルボビン１９の外周面の中央部付近に取り付けられている一方、ダンパー２１の外周縁部は、後述するフレーム４２の中央部付近に取り付けられている。【００５８】
振動板２２は、コーン状の形状を有し、ボイスコイル２０へ入力される音声信号に応じた音波を放射する。振動板２２の内周縁部はボイスコイルボビン１９の外周面の上端部に取り付けられている。【００５９】
エッジ２３は、環状の形状及び凸状の断面形状を有し、振動板２２を弾性的に支持する。エッジ２３の内周縁部は、振動板２２の外周部に取り付けられている一方、エッジ２３の外周縁部は、フレーム４２の上端部上に取り付けられている。【００６０】
キャップ２４は、蓋状の形状を有し、ボイスコイルボビン１９の上端部を閉塞している。これにより、キャップ２４は、粉塵や水滴などが反発型磁気回路４０側へ侵入するのを抑止することができる。【００６１】
（フレームの構成）
フレーム４２は、略椀状の形状を有し、反発型磁気回路４０を収容している。フレーム４２は、振動体４１及び反発型磁気回路４０を支持している。フレーム４２の下端部側の中央部には、反発型磁気回路４０で発生する熱を放熱するための開口４２ａが設けられている。フレーム４２の上端部の外周面は、後述するキャビネット４５の上端部の内周面に取り付けられている。【００６２】
（キャビネットの構成）
キャビネット４５は、略椀状の形状を有し、振動体４１、反発型磁気回路４０及びフレーム４２を覆っている。そして、キャビネット４５とフレーム４２の間には容積Ｖ２を有する空間Ａ２が形成されている。好適な例では、後述する理由より、前記の容積Ｖ２は０[ｃｃ]より大きく３６０[ｃｃ]以下であることが好ましい。なお、本発明では、キャビネット４５の形状に限定はない。キャビネット４５の上端部は、第１のスピーカユニット１００の支持体３３の下端部に嵌め合わされている。キャビネット４５の外周面には、スピーカー装置５０を被取付部に対して吊り下げた状態で取り付ける為の取付金具６０が取り付けられている。好適な例では、取付金具６０は、Ｍ１×Ｌ１０＝Ｍ２×Ｌ２０を満たすようにキャビネット４５の外周面に取り付けられていることが好ましい。ここで、「Ｍ１」は、第１のスピーカユニット１００の質量を、「Ｌ１０」は、取付金具６０の中心から第１のスピーカユニット１００の重心までの長さを、「Ｍ２」は、第２のスピーカユニット２００の質量を、「Ｌ２０」は、取付金具６０の中心から第２のスピーカユニット２００の重心までの長さを夫々示す。これにより、被取付部に対して、スピーカー装置５０を安定的に取り付けることが可能になる。【００６３】
以上の構成を有する第２のスピーカユニット２００では、アンプ側の一対の出力配線から出力された音声信号は、一対のスピーカー端子を経由し、さらにボイスコイル２０の一対のプラス／マイナスのリード線を通じて、当該ボイスコイル２０へ入力される。これにより、フレミングの左手の法則に基づき、磁気ギャップ４３内でボイスコイル２０に電磁気力（ローレンツ力）が作用し、ボイスコイル２０と共に振動板２２等が音響放射方向Ｙ１及びその逆方向に動くことで、振動板２２から音響放射方向Ｙ１に向けて音波が放射される。【００６４】
[共鳴器を用いた音響特性の向上方法]
一般的に、スピーカユニットをキャビネット内に収容すると、キャビネットのスティフフネスが大きくなって、前記スピーカユニットの振動板は振動し難くなる。前記キャビネットが小さくなればなる程、前記キャビネットと前記スピーカユニットにより形成される空間の容積も小さくなって、前記振動板はより振動しにくい傾向が顕著となる。これは、前記振動板と前記キャビネットにて形成される前記空間内の空気がバネ性を発現し始めるからである。そのために、前記振動板が大きな振幅で振動し難くなり、低音域での音圧レベルが小さくなると共に、中音域での音圧レベルが、小さくなった低音域の音圧レベルと比較して相対的に大きくなってしまう。【００６５】
この点について、図６を参照して説明する。図６は、前記スピーカユニットを２種類のキャビネットに夫々収容したときの前記スピーカユニットの各々の音圧レベル[ｄＢ]と周波数[Ｈｚ]の関係を示すグラフである。図６において、実線で示すグラフｇ１０１はＪＩＳ標準箱（大型キャビネット）に収容した前記スピーカユニットの周波数特性を、また、破線で示すグラフｇ１０２は小型キャビネットに収容した前記スピーカユニットの周波数特性を夫々示す。【００６６】
図６に示すグラフｇ１０１とグラフｇ１０２を対比して分かるように、小型キャビネットに収容した前記スピーカユニットの方が、大型キャビネットに収容した前記スピーカユニットよりも低音域での音圧レベルに対する中音域での音圧レベルが大きくなっている。特に、小型キャビネットに収容した前記スピーカユニットの方が、大型キャビネットに収容した前記スピーカユニットよりも低音域での音圧レベルに対する中音域（破線領域Ｅ１００に示す２[ｋＨｚ]付近の音域）での音圧レベルが大きくなっていることが分かる。【００６７】
そこで、本実施例では、第１のスピーカユニット１００に対して共鳴器３５を設け、さらに共鳴器３５の条件（開口部３３ｂａの大きさ、容積Ｖ１の大きさなどの条件）を変えて調整することにより、中音域でのピーク（周波数の山）を小さくして、スピーカー装置５０の周波数特性をフラットにする。【００６８】
ここで、共鳴器７０は、一般的に、図４（ｂ）に示すような、円筒状の音響管７０ａと、音響管７０ａと一体に形成された中空球状の球状部７０ｂとを備えるモデルで表される。
かかる共鳴器７０において、音響管７０ａの開口部の面積をＳ、音響管７０ａの長さをＬ、音響管７０ａと球状部７０ｂを合わせた容積をＶ、音速をＣとすると、その共鳴器７０を有するスピーカユニットの再生周波数ｆは、
ｆ  ＝  （Ｃ／２π）√（Ｓ／ＬＶ）              （式１）
で表される。【００６９】
したがって、上記の式１において、音響管７０ａの開口部の面積Ｓ、音響管７０ａの長さＬ、音響管７０ａと球状部７０ｂを合わせた容積Ｖを必要に応じて変えることにより、共鳴器７０を有するスピーカユニットの再生周波数ｆにおける特性を所望の音響特性となるように調整することができる。【００７０】
なお、本実施例では、上記の式１において、「Ｓ」は共鳴器３５において２つの開口部３３ｂａ全体の大きさ（総面積）に、また、「Ｌ」は開口部３３ｂａの音響放射方向Ｙ１の長さに、また、「Ｖ」は共鳴器３５においてキャビネット３３ｂとフレーム３２の間に形成される空間Ａ１の容積Ｖ１に夫々対応している。【００７１】
（共鳴器による作用）
ここで、図７は、共鳴器３５を有する第１のスピーカユニット１００を備えたスピーカー装置５０（本実施例）、及び共鳴器３５を有しない第１のスピーカユニット１００を備えたスピーカー装置５０（比較例）の音圧レベル[ｄＢ]と周波数[Ｈｚ]の関係を示すグラフである。図７において、実線で示すグラフｇ１は本実施例のスピーカー装置５０の周波数特性を、また、破線で示すグラフｇ２は比較例に係るスピーカー装置５０の周波数特性を夫々示す。なお、この例における共鳴器３５の条件は、上記の式１において、開口部３３ｂａの直径＝５[ｍｍ]、２つの開口部３３ｂａ全体の大きさ（総面積）Ｓ＝１２.５π[ｍｍ２]、開口部３３ｂａの音響放射方向Ｙ１の長さＬ＝１[ｍｍ]、共鳴器３５においてキャビネット３３ｂとフレーム３２の間に形成される空間Ａ１の容積Ｖ１＝２０００[ｍｍ３]としている。【００７２】
図７の中音域（破線領域Ｅ１に示す３.１[ｋＨｚ]付近の音域）に着目すると、共鳴器３５を有する本実施例は、共鳴器３５を有しない比較例と比べて３.１[ｋＨｚ]付近の音圧レベルを約８[ｄＢ]程度下げることができている。つまり、本実施例では、３.１[ｋＨｚ]付近にディップ（周波数の谷）を作ることができている。よって、第１のスピーカユニット１００に対して共鳴器３５を設けることにより、中音域の音圧レベルを小さくすることができる。その結果、スピーカー装置５０の音響特性を向上させることができる。【００７３】
（共鳴器の開口部の大きさとスピーカー装置の周波数特性の関係）
上記の式１において、共鳴器３５の開口部３３ｂａの大きさ（面積）を変えることにより、スピーカー装置５０の周波数特性を変えることができる。そこで、この点について、図８を参照して説明する。図８は、共鳴器３５の２つの開口部３３ｂａ全体の大きさ（総面積）Ｓとスピーカー装置５０の周波数特性の関係を示すグラフである。図８において、実線で示すグラフｇ１１は共鳴器３５の開口部３３ｂａの直径φを２[ｍｍ]（２つの開口部３３ｂａの総面積Ｓ＝２π[ｍｍ２]）に設定したグラフであり、一点鎖線で示すグラフｇ１２は共鳴器３５の開口部３３ｂａの直径φを２.５[ｍｍ]（２つの開口部３３ｂａの総面積Ｓ＝３.１２５π[ｍｍ２]）に設定したグラフであり、二点鎖線で示すグラフｇ１３は共鳴器３５の開口部３３ｂａの直径φを３[ｍｍ]（２つの開口部３３ｂａの総面積Ｓ＝４.５π[ｍｍ２]）に設定したグラフであり、破線で示すグラフｇ１４は共鳴器３５の開口部３３ｂａの直径φを３.５[ｍｍ]（２つの開口部３３ｂａの総面積Ｓ＝６.１２５π[ｍｍ２]）に設定したグラフである。【００７４】
図８の中音域（１.５〜３[ｋＨｚ]付近の音域）に着目すると、グラフｇ１１〜ｇ１４では、中音域におけるディップは、それぞれ、約１.８[ｋＨｚ]、約２[ｋＨｚ]、約２.２[ｋＨｚ]、約２.３[ｋＨｚ]に生じていることが分かる。このことから、スピーカー装置５０において、共鳴器３５の開口部３３ｂａの大きさ（面積）を大きくすることにより、中音域に生じるディップが高音域側へ移動することが分かる。また、共鳴器３５の開口部３３ｂａの大きさ（面積）を小さくすることにより、中音域に生じるディップが低音域側へシフトすることが分かる。よって、共鳴器３５の開口部３３ｂａの大きさ（面積）を変えることにより、スピーカー装置５０の中音域の周波数特性を所望の周波数特性となるように調整することができる。【００７５】
（共鳴器の容積とスピーカー装置の周波数特性の関係）
上記の式１において、共鳴器３５の容積Ｖ１を変えることにより、スピーカー装置５０の周波数特性等を変えることができる。そこで、この点について、図９を参照して説明する。図９は、共鳴器３５の容積Ｖ１とスピーカー装置５０の周波数特性の関係を示すグラフである。図９において、実線で示すグラフｇ２１は、図３において第１のスピーカユニット１００のキャビネット３３ｂのフレーム載置部３３ｂｂの面（基準面Ｓｘ）上に、図４（ｃ）に示す、内径ｒ及び厚さｔを有する環状のスペーサ３８を設けていない場合のグラフであり、また、一点鎖線で示すグラフｇ２２はフレーム載置部３３ｂｂの基準面Ｓｘ上に内径ｒ及び厚さｔ＝１[ｍｍ]（共鳴器３５の容積Ｖ１に対して付加される、環状のスペーサ３８の容積＝８５５[ｍｍ３]）を有する環状のスペーサ３８を設けた場合のグラフであり、また、二点鎖線で示すグラフｇ２３はフレーム載置部３３ｂｂの基準面Ｓｘ上に内径ｒ及び厚さｔ＝２[ｍｍ]（共鳴器３５の容積Ｖ１に対して付加される、環状のスペーサ３８の容積＝１７０９[ｍｍ３]）を有する環状のスペーサ３８を設けた場合のグラフであり、また、破線で示すグラフｇ２４はフレーム載置部３３ｂｂの基準面Ｓｘ上に内径ｒ及び厚さｔ＝３[ｍｍ]（共鳴器３５の容積Ｖ１に対して付加される、環状のスペーサ３８の容積＝２５６５[ｍｍ３]）を有する環状のスペーサ３８を設けた場合のグラフである。【００７６】
図９に示すグラフｇ２１〜ｇ２４の中音域（２.５[ｋＨｚ]付近の音域）を着目して分かるように、環状のスペーサ３８を用いて共鳴器３５の容積Ｖ１を増やすことにより、スピーカー装置５０の音圧レベルを大きくすることができると共に、前記中音域に生じるディップを高音域側へ移動させることができる。よって、共鳴器３５の容積Ｖ１を変えることにより、スピーカー装置５０の中音域に生じるディップの音圧レベルの大きさを調整することができると共に、スピーカー装置５０の周波数特性を変えることができる。【００７７】
（共鳴器内の吸音材の量とスピーカー装置の周波数特性の関係）
本実施例では、図２及び図３に示すように、共鳴器３５内に対して、特定の周波数を吸収する吸音材３６を設けることにより、スピーカー装置５０の周波数特性を変えることができる。この点について、図１０を参照して説明する。図１０は、共鳴器３５内の吸音材３６の量（質量）とスピーカー装置５０の周波数特性の関係を示すグラフである。図１０において、実線で示すグラフｇ３１は共鳴器３５内に吸音材３６を設けていない場合のグラフであり、破線で示すグラフｇ３２は共鳴器３５内に質量０.０１８[ｇ]を有する吸音材３６を設けた場合のグラフであり、また、一点鎖線で示すグラフｇ３３は共鳴器３５内に質量０.０３６[ｇ]を有する吸音材３６を設けた場合のグラフである。【００７８】
図１０に示すグラフｇ３１〜ｇ３４の中音域（１〜３[ｋＨｚ]付近の音域）を着目して分かるように、共鳴器３５内に設ける吸音材３６の質量が大きくなるに従って、前記中音域に生じるディップの音圧レベルの大きさを小さくすることができる。このことから、共鳴器３５内に設ける吸音材３６の量を変えることにより、スピーカー装置５０の中音域に生じるディップの音圧レベルの大きさを調整することができる。【００７９】
［キャビネットの形状とスピーカー装置の周波数特性の関係］
また、本発明では、第１のスピーカユニット１００のキャビネット３３ｂの形状を変えることによっても、スピーカー装置５０の周波数特性を変えることができる。【００８０】
図１１は、第２のスピーカユニット２００に対向する面が平坦な形状に形成されたキャビネット３３ｂｘを備える第１のスピーカユニット１００の構成を示す断面図である。図１２は、第１のスピーカユニット１００のキャビネット３３ｂ及び３３ｂｘの形状とスピーカー装置５０の周波数特性の関係を示すグラフである。図１２において、実線で示すグラフｇ４１は、第２のスピーカユニット２００に向かって凸状に形成されたキャビネット３３ｂを備える第１のスピーカユニット１００の周波数特性を示すグラフであり、また、破線で示すグラフｇ４２は、第２のスピーカユニット２００に対向する面が平坦な形状に形成されたキャビネット３３ｂｘを備える第１のスピーカユニット１００の周波数特性を示すグラフである。【００８１】
図１２に示すグラフｇ４１及びｇ４２の中音域（３〜４[ｋＨｚ]付近の音域）を着目して分かるように、平坦な形状に形成されたキャビネット３３ｂｘを備える第１のスピーカユニット１００は、凸状に形成されたキャビネット３３ｂを備える第１のスピーカユニット１００と比べて、前記中音域に生じるディップの音圧レベルの大きさが大きくなっている。このことから、第１のスピーカユニット１００のキャビネットの形状を変えることにより、スピーカー装置５０の前記中音域に生じるディップの音圧レベルの大きさを調整することができる。【００８２】
［ホーンとスピーカー装置の周波数特性の関係］
また、本発明では、第２のスピーカユニット２００の音響放射方向Ｙ１側にホーン３３ａを配置することによっても、スピーカー装置５０の周波数特性を変えることができる。【００８３】
上記したように、本実施例では、第１のスピーカユニット１００は、第２のスピーカユニット２００の音響放射方向Ｙ１側に配置されたホーン３３ａを有し、ホーン３３ａは、略環状の形状、及び当該ホーン３３ａの中心軸Ｌ１に向かって弓なりに湾曲した形状を有する。これにより、中音域から高音域にかけてスピーカー装置５０の音圧レベルを大きくすることができる。この点について、図１３を参照して説明する。図１３は、第１のスピーカユニット１００のホーン３３ａとスピーカー装置５０の周波数特性の関係を示すグラフである。図１３において、実線で示すグラフｇ５１はホーン３３ａを有しないスピーカー装置５０の周波数特性を示すグラフであり、破線で示すグラフｇ５２はホーン３３ａを有する本実施例に係るスピーカー装置５０の周波数特性を示すグラフである。【００８４】
図１３に示すグラフｇ５１とグラフｇ５２を対比して分かるように、ホーン３３ａを有する本実施例に係るスピーカー装置５０の方が、ホーン３３ａを有しないスピーカー装置５０よりも、中音域から高音域にかけて音圧レベルが大きくなっている。よって、第１のスピーカユニット１００の構成要素であるホーン３３ａを、第２のスピーカユニット２００の音響放射方向Ｙ１側に配置することにより、中音域から高音域にかけてスピーカー装置５０の音圧レベルを大きくすることができる。【００８５】
［第１及び第２のスピーカユニット間の間隔とスピーカー装置の周波数特性の関係］
また、本実施例に係るスピーカー装置５０では、図２に示すように、第１のスピーカユニット１００と、第２のスピーカユニット２００との間には、所定の間隔（より具体的には、第１のスピーカユニット１００のキャビネット３３ｂの頂部から第２のスピーカユニット２００のキャップ２４までの距離）ｄ１が設けられている。この間隔ｄ１の大きさを調整することにより、スピーカー装置５０の周波数特性を変えることができる。特に、第１のスピーカユニット１００と、第２のスピーカユニット２００との間に所定の間隔ｄ１を設けることにより、第２のスピーカユニット２００から第１のスピーカユニット１００に向けて放射された音波と、この音波が第１のスピーカユニット１００のキャビネット３３ｂに反射することにより生じる音波とが干渉することにより生じる、スピーカー装置５０の再生周波数におけるピーク・ディップを低減することができる。言い換えれば、所定の間隔ｄ１を変えることで、第１のスピーカユニット１００の振動板本体６ａと第２のスピーカユニット２００の振動板２２との距離、又は第１のスピーカユニット１００のエッジ６ｂと第２のスピーカユニット２００のエッジ２３との距離が変わるので、スピーカー装置５０の周波数特性を変えることができ、前述したような、スピーカー装置５０の周波数特性におけるピーク・ディップを低減することができる。【００８６】
この点について、図１４を参照して説明する。図１４（ａ）に示すグラフｇ６１は、第１のスピーカユニット１００と、第２のスピーカユニット２００との間隔ｄ１を０[ｍｍ]に設定したときのスピーカー装置５０の音圧レベルと周波数特性の関係を示すグラフである。図１４（ｂ）は、図１４（ａ）のグラフｇ６１において、前記の干渉の影響が大きい周波数を示す図表である。図１４（ｃ）に示すグラフｇ６２は、第１のスピーカユニット１００と、第２のスピーカユニット２００との間隔ｄ１を２０[ｍｍ]に設定したときのスピーカー装置５０の音圧レベルと周波数特性の関係を示すグラフである。図１４（ｄ）は、図１４（ｂ）のグラフｇ６２において、前記の干渉の影響が大きい周波数を示す図表である。【００８７】
図１４（ａ）のグラフｇ６１及び図１４（ｄ）のグラフｇ６２より次のことが分かる。即ち、イコライザーとなっている、第１のスピーカユニット１００のキャビネット３３ｂを第２のスピーカユニット２００へ近づけることにより、スピーカー装置５０の再生周波数におけるピーク・ディップを高音域側へ移動させることができるが、そのピーク・ディップの大きさが大きくなってしまう。一方、前記のキャビネット３３ｂを第２のスピーカユニット２００から遠ざけることにより、スピーカー装置５０の再生周波数におけるピーク・ディップが中音域側へ移動してしまうが、そのピーク・ディップを小さくできる、つまり、スピーカー装置５０の周波数特性をフラットにできる。したがって、前記の間隔ｄ１を調整することにより、スピーカー装置５０の周波数特性を所望の音響特性となるように調整することができる。このことから、前記の共鳴器３５により、特定の周波数帯域（例えば、中音域）に生じるピークの音圧レベルの大きさを調整すると共に、前記の間隔ｄ１を調整することにより、特定の周波数帯域（例えば、高音域）における周波数特性をフラットにすることで、中音域から高音域にかけて周波数特性をフラットにすることができ、音響特性を向上させることができる。つまり、共鳴器３５とイコライザーとしてのキャビネット３３ｂとをスピーカー装置５０が備えることで、スピーカー装置５０において、周波数特性をフラットにすることができ、所望の音響特性を提供することが可能になる。【００８８】
［第２のスピーカユニットのキャビネットの容積とその周波数特性の関係］
また、本実施例に係るスピーカー装置５０では、第２のスピーカユニット２００のキャビネット４５は、第１のスピーカユニット１００の音響放射方向Ｙ１側の面に対し逆側の面を覆っており、第２のスピーカユニット２００のキャビネット４５とフレーム４２との間に形成された空間Ａ２の容積Ｖ２は、０[ｃｃ]より大きく３６０[ｃｃ]以下に設定されている。これにより、第２のスピーカユニット２００の周波数特性を変えることができる。この点について、図１５を参照して説明する。図１５は、第２のスピーカユニット２００の音圧レベルと周波数特性との関係を示すグラフである。図１５において、実線で示すグラフｇ７１は、容積Ｖ２＝３６０[ｃｃ]を有するキャビネット４５が装着された第２のスピーカユニット２００の周波数特性を、また、破線で示すグラフｇ７２は、キャビネット４５を装着していない第２のスピーカユニット２００の周波数特性を夫々示す。【００８９】
図１５のグラフｇ７１及びグラフｇ７２を対比して分かるように、グラフｇ７２では、中音域から低音域（特に、５００[ｋＨｚ]以下より小さい周波数帯域）にかけて音圧レベルが急激に低下している。このような音圧レベルが急激に低下する現象は、第２のスピーカユニット２００に装着するキャビネット４５の前記容積Ｖ２が３６０[ｃｃ]以下にて見られる。そのため、本実施例では、この点を考慮して、第１のスピーカユニット１００に対して共鳴器３５を設けることで、中音域から低音域にかけて第２のスピーカユニット２００の音圧レベルが低下することを抑制できる。【００９０】
[変形例]
本発明では、図３の対応図である図１６に示すように、第１のスピーカユニット１００は、第１のスピーカユニット１００の音響特性を制御するイコライザー３９を備えていてもよい。この変形例では、イコライザー３９は、筒状の形状を有する第１部材と、振動板６ａと対向する中央部に開口を有し且つ前記第１部材の上端部から音響放射方向Ｙ１に対して逆方向に且つ斜め方向に延びる第２部材を有して構成されているが、本発明では、そのイコライザー３９の形状について、特に限定はしなく、公知のイコライザーを用いても構わない。かかるイコライザー３９は、その構成要素である第１部材の下端部が環状部材３７上に取り付けられた状態で振動板６の音響放射方向Ｙ１側に配置される。このように、第１のスピーカユニット１００に対してイコライザー３９を設けることにより、第１のスピーカユニット１００の高音域での周波数特性をフラットにすることができる。【００９１】
また、上記の実施例では、第２のスピーカユニット２００の中心軸に対して、第１のスピーカユニット１００の中心軸が平行移動若しくは傾くように、第１のスピーカユニット１００を、第２のスピーカユニット２００の音響放射方向Ｙ１側に配置するようにしても構わない。この場合、図示を省略するが、スピーカー装置５０に対して、第２のスピーカユニット２００から第１のスピーカユニット１００へ延びる支柱を設け、その支柱は、第２のスピーカユニット２００の中心軸からずらされて配置され、且つ第２のスピーカユニット２００の中心軸に対し平行な状態で延びるように構成され、または、第２のスピーカユニット２００の中心軸に対し傾いた状態で延びるように構成される。これによっても、第１のスピーカユニット１００と第２のスピーカユニット２００の間隔ｄ１を変えることができるため、スピーカー装置５０の周波数特性を変えることができる。【００９２】
また、上記の実施例では、第１のスピーカユニット１００と第２のスピーカユニット２００とは略同軸Ｌ１に配置されていたが、本発明では、第１のスピーカユニット１００の中心軸と第２のスピーカユニット２００の中心軸とは一致していなくても構わない。【００９３】
その他、本発明では、その趣旨を逸脱しない範囲において種々の変形をすることが可能である。
【産業上の利用可能性】
【００９４】
本発明は、車載用、家庭用、携帯機器用などの各種の小型スピーカー装置として利用することができる。
【図１】
2008139524.tif 000003
【図２】
2008139524.tif 000004
【図３】
2008139524.tif 000005
【図４】
2008139524.tif 000006
【図５】
2008139524.tif 000007
【図６】
2008139524.tif 000008
【図７】
2008139524.tif 000009
【図８】
2008139524.tif 000010
【図９】
2008139524.tif 000011
【図１０】
2008139524.tif 000012
【図１１】
2008139524.tif 000013
【図１２】
2008139524.tif 000014
【図１３】
2008139524.tif 000015
【図１４】
2008139524.tif 000016
【図１５】
2008139524.tif 000017
【図１６】
2008139524.tif 000018
【手続補正書】
【提出日】平成21年2月18日(2009.2.18)
【手続補正１】
【補正対象書類名】特許請求の範囲
【補正対象項目名】全文
【補正方法】変更
【補正の内容】
【特許請求の範囲】
【請求項１】
少なくとも第１のスピーカユニット及び第２のスピーカユニットを備え、
前記第１のスピーカユニットは共鳴器を備え、
前記共鳴器は、前記第２のスピーカユニットと相互に対向し合うように配置されていることを特徴とするスピーカー装置。
【請求項２】
前記第１のスピーカユニットは、振動板とボイスコイルとを有する振動体と、磁石とプレートとを備える磁気回路と、フレームと、キャビネットと、を備え、
前記キャビネットは、前記フレームを覆うように配置され、
前記キャビネットには、前記第２のスピーカユニットと対向する開口部が形成されており、
前記共鳴器は、前記フレームと前記キャビネットにて形成されていることを特徴とする請求項１に記載のスピーカー装置。
【請求項３】
前記第２のスピーカユニットと対向する、前記キャビネットの面は曲面状に形成されていることを特徴とする請求項２に記載のスピーカー装置。
【請求項４】
前記キャビネットは、前記第２のスピーカユニットに向かって凸状に形成されていることを特徴とする請求項２に記載のスピーカー装置。
【請求項５】
前記第２のスピーカユニットと対向する前記キャビネットの面は平坦な形状に形成されていることを特徴とする請求項２に記載のスピーカー装置。
【請求項６】
前記第１のスピーカユニットは、前記第２のスピーカユニットに対し音響放射側に配置されており、
前記第１のスピーカユニットは、前記第２のスピーカユニットが備える第２のキャビネット上に設けられる支持体を備え、
前記支持体は、前記第２のキャビネットの外周部近傍に配置され、断面形状が湾曲状である環状のホーンを備えることを特徴とする請求項１に記載のスピーカー装置。
【請求項７】
前記第１のスピーカユニットと、前記第２のスピーカユニットとの間には、所定の間隔が設けられていることを特徴とする請求項１に記載のスピーカー装置。
【請求項８】
前記第１のスピーカユニットは、イコライザーを備えることを特徴とする請求項１に記載のスピーカー装置。
【請求項９】
前記共鳴器は吸音材を備えることを特徴とする請求項１又は２に記載のスピーカー装置。
【請求項１０】
前記第１のスピーカユニットの中心軸と、前記第２のスピーカユニットの中心軸とは略同軸上にあることを特徴とする請求項１に記載のスピーカー装置。
【請求項１１】
前記第１のスピーカユニットは、前記第２のスピーカユニットの音響放射方向側に配置され、
前記第１のスピーカユニットは、前記第２のスピーカユニット側から延在する支持部材を有し、
前記支持部材は、前記第１のスピーカユニットを支持していることを特徴とする請求項１に記載のスピーカー装置。
【請求項１２】
前記第１のスピーカユニットは高音再生用スピーカユニットであり、前記第２のスピーカユニットは低音再生用スピーカユニットであることを特徴とする請求項１に記載のスピーカー装置。
【請求項１３】
前記第２のスピーカユニットは、第２のキャビネットを備え、
前記第２のキャビネットは、前記第１のスピーカユニットの音響放射方向側の面に対し逆側の面を覆っていることを特徴とする請求項１に記載のスピーカー装置。
【請求項１４】
前記第２のキャビネットが有する容積は、０［ｃｃ］より大きく３６０［ｃｃ］以下であることを特徴とする請求項１３に記載のスピーカー装置。
【請求項１５】
少なくとも第１のスピーカユニット及び第２のスピーカユニットを備え、
前記第１のスピーカユニットは、当該第１のスピーカユニットが備えるフレームと、当該フレームを取り囲む第１のキャビネットにて形成される共鳴器を備え、
前記共鳴器は、前記第２のスピーカユニットの音響放射面と対向して配置されており、
前記共鳴器を構成する前記キャビネットの、前記第２のスピーカユニットの音響放射面と対向する底面部には、開口部が形成されていることを特徴とするスピーカー装置。
【請求項１６】
前記底面部が曲面状に形成されていることを特徴とする請求項１５に記載のスピーカー装置。
【請求項１７】
前記キャビネットの底面部は、前記第１のスピーカユニットに対するイコライザーとなることを特徴とする請求項１６に記載のスピーカー装置。
【請求項１８】
前記第１のスピーカユニットが備える第１のキャビネットの底面部に対向する、前記第２のスピーカユニットが備える振動体の一部が、音響放射方向に対し逆向きに凹状に形成されることを特徴とする請求項１７に記載のスピーカー装置。
【請求項１９】
前記振動体は、少なくともボイスコイル、当該ボイスコイルを支持するボイスコイル支持部、及び、前記ボイスコイル支持部を閉塞するキャップを備え、
前記振動体の一部は、前記キャップであることを特徴とする請求項１８に記載のスピーカー装置。
【請求項２０】
前記第１のスピーカユニットは、前記第２のスピーカユニットに対し音響放射側に配置されており、
前記第１のスピーカユニットは、前記第２のスピーカユニットの第２のキャビネット上に設けられる支持体を備え、
前記支持体は、前記第１のキャビネットと、前記第１のキャビネットから前記第２のキャビネットの外周部へ延在する支持部材を備えることを特徴とする請求項１９に記載のスピーカー装置。
【請求項２１】
前記支持体は、前記支持部材と前記第２のキャビネットとの間で、且つ第２のスピーカユニットの振動体の外周部の近傍に配置される、環状のホーンを備え、
前記環状のホーンは、断面形状が湾曲状に形成されていることを特徴とする請求項１９に記載のスピーカー装置。
【請求項２２】
前記振動体は、ボイスコイル支持部に内周部が支持される振動板と、当該振動板の外周部を前記フレームに支持するエッジと、ダンパと、を備えることを特徴とする請求項１５に記載のスピーカー装置。
【請求項２３】
前記共鳴器は吸音材を備え、
前記キャビネットの底面部に対向する、前記フレームの底面部には前記吸音材が取り付けられていることを特徴とする請求項１５に記載のスピーカー装置。
【請求項２４】
前記キャビネットの開口部は、前記底面部に複数形成されていることを特徴とする請求項１６に記載のスピーカー装置。
【手続補正２】
【補正対象書類名】明細書
【補正対象項目名】００２１
【補正方法】変更
【補正の内容】
【００２１】
ユニット２００へ近づけることにより、スピーカー装置５０の再生周波数におけるピーク・ディップを高音域側へ移動させることができるが、そのピーク・ディップの大きさが大きくなってしまう。一方、前記のキャビネット３３ｂを第２のスピーカユニット２００から遠ざけることにより、スピーカー装置５０の再生周波数におけるピーク・ディップが中音域側へ移動してしまうが、そのピーク・ディップを小さくできる、つまり、スピーカー装置５０の周波数特性をフラットにできる。したがって、前記の間隔ｄ１を調整することにより、スピーカー装置５０の周波数特性を所望の音響特性となるように調整することができる。このことから、前記の共鳴器３５により、特定の周波数帯域（例えば、中音域）に生じるピークの音圧レベルの大きさを調整すると共に、前記の間隔ｄ１を調整することにより、特定の周波数帯域（例えば、高音域）における周波数特性をフラットにすることで、中音域から高音域にかけて周波数特性をフラットにすることができ、音響特性を向上させることができる。つまり、共鳴器３５とイコライザーとしてのキャビネット３３ｂとをスピーカー装置５０が備えることで、スピーカー装置５０において、周波数特性をフラットにすることができ、所望の音響特性を提供することが可能になる。
［００８８］
［第２のスピーカユニットのキャビネットの容積とその周波数特性の関係］
また、本実施例に係るスピーカー装置５０では、第２のスピーカユニット２００のキャビネット４５は、第１のスピーカユニット１００の音響放射方向Ｙ１側の面に対し逆側の面を覆っており、第２のスピーカユニット２００のキャビネット４５とフレーム４２との間に形成された空間Ａ２の容積Ｖ２は、０［ｃｃ］より大きく３６０［ｃｃ］以下に設定されている。これにより、第２のスピーカユニット２００の周波数特性を変えることができる。この点について、図１５を参照して説明する。図１５は、第２のスピーカユニット２００の音圧レベルと周波数特性との関係を示すグラフである。図１５において、実線で示すグラフｇ７１は、容積Ｖ２＝３６０［ｃｃ］を有するキャビネット４５が装着された第２のスピーカユニット２００の周波数特性を、また、破線で示すグラフｇ７２は、キャビネット４５を装着していない第２のスピーカユニット２００の周波数特性を夫々示す。
［００８９］
図１５のグラフｇ７１及びグラフｇ７２を対比して分かるように、グラフｇ７２では、中音域から低音域（特に、５００［Ｈｚ］以下より小さい周波数帯域）にかけて音圧レベルが急激に低下している。このような音圧レベルが急激に低下する現象は、第２のスピーカ
【手続補正書】
【提出日】平成21年9月8日(2009.9.8)
【手続補正１】
【補正対象書類名】特許請求の範囲
【補正対象項目名】全文
【補正方法】変更
【補正の内容】
【特許請求の範囲】
【請求項１】
少なくとも第１のスピーカユニット及び第２のスピーカユニットを備え、
前記第１のスピーカユニットは共鳴器を備え、
前記共鳴器は、前記第２のスピーカユニットと相互に対向し合うように配置されていることを特徴とするスピーカー装置。
【請求項２】
前記第１のスピーカユニットは、振動板とボイスコイルとを有する振動体と、磁石とプレートとを備える磁気回路と、フレームと、キャビネットと、を備え、
前記キャビネットは、前記フレームを覆うように配置され、
前記キャビネットには、前記第２のスピーカユニットと対向する開口部が形成されており、
前記共鳴器は、前記フレームと前記キャビネットにて形成されていることを特徴とする請求項１に記載のスピーカー装置。
【請求項３】
前記第２のスピーカユニットと対向する、前記キャビネットの面は曲面状に形成されていることを特徴とする請求項２に記載のスピーカー装置。
【請求項４】
前記キャビネットは、前記第２のスピーカユニットに向かって凸状に形成されていることを特徴とする請求項２に記載のスピーカー装置。
【請求項５】
前記第２のスピーカユニットと対向する前記キャビネットの面は平坦な形状に形成されていることを特徴とする請求項２に記載のスピーカー装置。
【請求項６】
前記第１のスピーカユニットと、前記第２のスピーカユニットとの間には、所定の間隔が設けられていることを特徴とする請求項１に記載のスピーカー装置。
【請求項７】
前記共鳴器は吸音材を備えることを特徴とする請求項１又は２に記載のスピーカー装置。
【請求項８】
前記第１のスピーカユニットの中心軸と、前記第２のスピーカユニットの中心軸とは略同軸上にあることを特徴とする請求項１に記載のスピーカー装置。
【請求項９】
前記第１のスピーカユニットは、前記第２のスピーカユニットの音響放射方向側に配置され、
前記第１のスピーカユニットは、前記第２のスピーカユニット側から延在する支持部材を有し、
前記支持部材は、前記第１のスピーカユニットを支持していることを特徴とする請求項１に記載のスピーカー装置。
【請求項１０】
前記第１のスピーカユニットは高音再生用スピーカユニットであり、前記第２のスピーカユニットは低音再生用スピーカユニットであることを特徴とする請求項１に記載のスピーカー装置。
【請求項１１】
前記第２のスピーカユニットは、第２のキャビネットを備え、
前記第２のキャビネットは、前記第１のスピーカユニットの音響放射方向側の面に対し逆側の面を覆っていることを特徴とする請求項１に記載のスピーカー装置。
【請求項１２】
前記第２のキャビネットが有する容積は、０[ｃｃ]より大きく３６０[ｃｃ]以下であることを特徴とする請求項１３に記載のスピーカー装置。
【請求項１３】
少なくとも第１のスピーカユニット及び第２のスピーカユニットを備え、
前記第１のスピーカユニットは、当該第１のスピーカユニットが備えるフレームと、当該フレームを取り囲む第１のキャビネットにて形成される共鳴器を備え、
前記共鳴器は、前記第２のスピーカユニットの音響放射面と対向して配置されており、
前記共鳴器を構成する前記キャビネットの、前記第２のスピーカユニットの音響放射面と対向する底面部には、開口部が形成されていることを特徴とするスピーカー装置。
【請求項１４】
前記底面部が曲面状に形成されていることを特徴とする請求項１３に記載のスピーカー装置。
【請求項１５】
前記キャビネットの底面部は、前記第１のスピーカユニットに対するイコライザーとなることを特徴とする請求項１４に記載のスピーカー装置。
【請求項１６】
前記第１のスピーカユニットが備える第１のキャビネットの底面部に対向する、前記第２のスピーカユニットが備える振動体の一部が、音響放射方向に対し逆向きに凹状に形成されることを特徴とする請求項１７に記載のスピーカー装置。
【請求項１７】
前記振動体は、少なくともボイスコイル、当該ボイスコイルを支持するボイスコイル支持部、及び、前記ボイスコイル支持部を閉塞するキャップを備え、
前記振動体の一部は、前記キャップであることを特徴とする請求項１６に記載のスピーカー            装置。
【請求項１８】
前記第１のスピーカユニットは、前記第２のスピーカユニットに対し音響放射側に配置されており、
前記第１のスピーカユニットは、前記第２のスピーカユニットの第２のキャビネット上に設けられる支持体を備え、
前記支持体は、前記第１のキャビネットと、前記第１のキャビネットから前記第２のキャビネットの外周部へ延在する支持部材を備えることを特徴とする請求項１７に記載のスピーカー装置。
【請求項１９】
前記支持体は、前記支持部材と前記第２のキャビネットとの間で、且つ第２のスピーカユニットの振動体の外周部の近傍に配置される、環状のホーンを備え、
前記環状のホーンは、断面形状が湾曲状に形成されていることを特徴とする請求項１７に記載のスピーカー装置。
【請求項２０】
前記振動体は、ボイスコイル支持部に内周部が支持される振動板と、当該振動板の外周部を前記フレームに支持するエッジと、ダンパと、を備えることを特徴とする請求項１３に記載のスピーカー装置。
【請求項２１】
前記共鳴器は吸音材を備え、
前記キャビネットの底面部に対向する、前記フレームの底面部には前記吸音材が取り付けられていることを特徴とする請求項１３に記載のスピーカー装置。
【請求項２２】
前記キャビネットの開口部は、前記底面部に複数形成されていることを特徴とする請求項１４に記載のスピーカー装置。
【請求項２３】
請求項１に記載のスピーカー装置を備えることを特徴とする自動車。
【手続補正２】
【補正対象書類名】明細書
【補正対象項目名】００８９
【補正方法】変更
【補正の内容】
【００８９】
図１５のグラフｇ７１及びグラフｇ７２を対比して分かるように、グラフｇ７２では、中音域から低音域（特に、５００[Ｈｚ]以下より小さい周波数帯域）にかけて音圧レベルが急激に低下している。このような音圧レベルが急激に低下する現象は、第２のスピーカユニット２００に装着するキャビネット４５の前記容積Ｖ２が３６０[ｃｃ]以下にて見られる。そのため、本実施例では、この点を考慮して、第１のスピーカユニット１００に対して共鳴器３５を設けることで、中音域から低音域にかけて第２のスピーカユニット２００の音圧レベルが低下することを抑制できる。
【国際調査報告】
2008139524.tif 000019
2008139524.tif 000020
2008139524.tif 000021
2008139524.tif 000022
2008139524.tif 000023
2008139524.tif 000024
2008139524.tif 000025
2008139524.tif 000026